(57)【特許請求の範囲】
【請求項１】
マザーボードと、
前記マザーボードの一端に接続され且つメスコネクターが設置された側板と、
前記側板に近い一端にはオスコネクターが設置され、前記側板から離れている一端には定位軸を有するラッチ部材が設置される拡張カードモジュールと、
前記マザーボードに枢着される主体部、前記主体部の両端に接続される係合部及び固定部を含み、前記係合部には開口スロットが設けられるレバーと、
を備えるサーバーであって、
前記サーバーに対する前記拡張カードモジュールの差込方向が前記側板に対して平行であり、前記レバーは前記マザーボードに相対して回動することができ、前記係合部が前記側板に近付くと、前記定位軸は前記開口スロットに入って、前記ラッチ部材は前記係合部に係合し、前記拡張カードモジュールは前記レバーに連動されて前記差込方向と直交する方向に移動して前記側板に近付いて、前記オスコネクターは前記メスコネクターに挿入され、前記係合部が前記側板から離れると、前記拡張カードモジュールは前記レバーに連動されて前記差込方向と直交する方向に移動して前記側板から離れ、前記オスコネクターは前記メスコネクターから抜き出され、
前記拡張カードモジュールは、前記係合部と前記側板との間に位置していることを特徴とするサーバー。
【請求項２】
前記マザーボードは前記側板に直交し、前記レバーの主体部は前記マザーボードに平行であることを特徴とする請求項１に記載のサーバー。
【請求項３】
前記レバーは、前記主体部と前記係合部との間に接続される接続部をさらに備え、前記係合部は前記主体部に平行であり、前記接続部は前記主体部に直交し、前記固定部は前記主体部に直交し、前記係合部と前記主体部との間には高度差を有することを特徴とする請求項１または２に記載のサーバー。
【請求項４】
前記サーバーは、前記マザーボードに固定される固定モジュールを備え、前記固定モジュールは、順次に接続される第一固定板、第二固定板、第三固定板及び第四固定板を備え、前記第一固定板、前記第二固定板、前記第三固定板及び前記第四固定板は、すべて前記マザーボードの表面に直交し、前記第一固定板は前記第三固定板に平行であり、前記第二固定板は前記第四固定板に平行であり、前記第一固定板は前記第二固定板に直交し、前記第二固定板は前記第四固定板と前記側板との間に位置し、前記第三固定板は、前記第四固定板から前記第二固定板に向かって延在され且つ前記側板まで延在され、前記第二固定板、前記第三固定板及び前記側板によって、前記拡張カードモジュールを収容するための第一収容空間を形成し、前記第一固定板、前記第二固定板、前記第三固定板及び前記第四固定板によって、第二収容空間を形成し、前記第一固定板の前記マザーボードに近い箇所には、第一開口が設けられ、前記第二固定板の前記マザーボードに近い箇所には、第二開口が設けられ、前記第二開口は、前記第一収容空間及び前記第二収容空間を連通し、前記レバーは、前記第一開口及び前記第二開口を貫通して、前記レバーの主体部は前記第二収容空間に収容され、前記レバーの係合部及び接続部は前記第一収容空間に収容され、前記レバーの固定部は前記第二収容空間の外側に位置することを特徴とする請求項３に記載のサーバー。
【請求項５】
前記第一固定板は、前記側板に垂直であり、前記レバーの固定部は、前記第一固定板の前記第三固定板から離れている片側に位置することを特徴とする請求項４に記載のサーバー。
【請求項６】
前記第一固定板には、ねじ孔が設けられ、前記ねじ孔の中心軸線は前記第一固定板に垂直であり、前記レバーの固定部には、貫通孔が設けられ、前記オスコネクターが前記メスコネクターに差し込まれると、ねじは前記貫通孔を貫通して前記ねじ孔に螺合して、前記レバーを固定し、前記ねじを取り外して、前記レバーを回動させることを特徴とする請求項４または５に記載のサーバー。
【請求項７】
前記サーバーは、互いに離間し且つ同じ延長線上に位置する２つの位置限定シートをさらに備え、２つの前記位置限定シートは、前記第二固定板の長手方向に平行な方向に沿って前記マザーボードに設置され、２つの前記位置限定シートは、前記第一収容空間に位置し且つ前記第二固定板に近接して、前記拡張カードモジュールの移動幅を制限するために用いられることを特徴とする請求項４から６のいずれか一項に記載のサーバー。
【請求項８】
前記拡張カードモジュールのオスコネクターが設置された片側には、外に向かって延在される突起が設置され、前記サーバーは、前記マザーボードに固定される位置限定柱をさらに備え、前記拡張カードモジュールを前記サーバーに装着してから、前記突起は前記位置限定柱に当止されることを特徴とする請求項１から７のいずれか一項に記載のサーバー。
【請求項９】
前記ラッチ部材は、互いに平行な２つの取付シート及び２つの前記取付シートの間に垂直に接続される接続シートからなる定位シートをさらに備え、前記定位軸の両端は、２つの前記取付シートに固定され、且つ前記定位軸と前記接続シートとは互いに離間することを特徴とする請求項１から８のいずれか一項に記載のサーバー。
【発明の詳細な説明】
【技術分野】
【０００１】
本発明は、拡張カードモジュールを有するサーバーに関するものである。
【背景技術】
【０００２】
拡張カードはサーバーの拡張スロットに差し込まれて、機能を拡張するために用いられる。
【発明の概要】
【発明が解決しようとする課題】
【０００３】
しかし、拡張スロットがサーバーの側壁に設置され且つ側壁がサーバーに対する拡張カードの差込方向と平行であり、拡張スロットへの拡張カードの挿入方向が上記差込方向と直交する場合、拡張カードを装着し難い。
【０００４】
本発明の目的は、課題を解決し、拡張カードを容易に装着することができるサーバーを提供することである。
【課題を解決するための手段】
【０００５】
本発明に係るサーバーは、マザーボードと、前記マザーボードの一端に接続され且つメスコネクターが設置された側板と、前記側板に近い一端にはオスコネクターが設置され、前記側板から離れている一端には定位軸を有するラッチ部材が設置される拡張カードモジュールと、前記マザーボードに枢着される主体部、前記主体部の両端に接続される係合部及び固定部を含み、前記係合部には開口スロットが設けられるレバーと、を備えるサーバーであって、前記サーバーに対する前記拡張カードモジュールの差込方向が前記側板に対して平行であり、前記レバーは前記マザーボードに相対して回動することができ、前記係合部が前記側板に近付くと、前記定位軸は前記開口スロットに入って、前記ラッチ部材は前記係合部に係合し、前記拡張カードモジュールは前記レバーに連動されて前記差込方向と直交する方向に移動して前記側板に近付いて、前記オスコネクターは前記メスコネクターに挿入され、前記係合部が前記側板から離れると、前記拡張カードモジュールは前記レバーに連動されて前記差込方向と直交する方向に移動して前記側板から離れ、前記オスコネクターは前記メスコネクターから抜き出され、前記拡張カードモジュールは、前記係合部と前記側板との間に位置している。
【発明の効果】
【０００６】
本発明のサーバーは、レバーによって拡張カードモジュールを連動して、オスコネクターをメスコネクターに挿入するか又はメスコネクターから抜き出して、拡張カードモジュールを容易に装着するか又は取り外すことができる。
【図面の簡単な説明】
【０００７】
【図１】本発明の実施形態に係るサーバーの分解斜視図である。
【図２】図１に示すＢ部分の拡大図である。
【図３】図１に示す拡張カードモジュールを別の視角から見た斜視図である。
【図４】図１に示す拡張カードモジュールをサーバーに装着する前の斜視図である。
【図５】図１に示すサーバーの第一作動状態を示す図である。
【図６】図１に示すサーバーの第二作動状態を示す図である。
【図７】図１に示すサーバーの組立斜視図である。
【発明を実施するための形態】
【０００８】
以下、図面を参照して、本発明の実施形態について説明する。
【０００９】
図１〜図４を参照すると、本発明の実施形態に係るサーバー１０は、マザーボード１２と、側板１６と、レバー１８と、拡張カードモジュール２０と、を備える。側板１６は、マザーボード１２の一端に直交し、側板１６のマザーボード１２に近い片側には、第一固定モジュール１６０及び第一接続板１６５が設置される。第一固定モジュール１６０及び第一接続板１６５双方は、マザーボード１２に接触する。第一固定モジュール１６０は、対向して設置される第一固定部材１６０１及び第二固定部材１６０２を備え、第一接続板１６５は、第一固定部材１６０１と第二固定部材１６０２との間に装着され且つマザーボード１２に直交する。第一接続板１６５の側板１６から離れている片側には、２つのメスコネクター１６１が設置される。メスコネクター１６１の挿入スロットは、側板１６の長手方向に沿って延在され且つマザーボード１２と平行に形成されている。メスコネクター１６１の数は、本実施形態の２つに限定されるものではない。
【００１０】
マザーボード１２には、第二固定モジュール１４が設置される。第二固定モジュール１４は、順次に接続される第一固定板１４１、第二固定板１４２、第三固定板１４３及び第四固定板１４４を備える。第一固定板１４１、第二固定板１４２、第三固定板１４３及び第四固定板１４４は、すべてマザーボード１２の表面に直交する。第一固定板１４１は、マザーボード１２の一端と同じ平面に位置し、且つ第三固定板１４３と平行であり、第一固定板１４１の両側は第二固定板１４２及び第四固定板１４４に直交する。第二固定板１４２は、第四固定板１４４と平行に形成され、第二固定板１４２の両側は第一固定板１４１及び第三固定板１４３に直交する。第三固定板１４３は、第四固定板１４４から第二固定板１４２に向かって延在され且つ側板１６まで延在されて、第四固定板１４４と側板１６との間に垂直に接続される。第二固定板１４２は、第四固定板１４４と側板１６との間に位置する。第二固定板１４２、第三固定板１４３及び側板１６によって、拡張カードモジュール２０を収容するための第一収容空間１２１を形成し、第一収容空間１２１は取付口１２２を有する。第一固定板１４１、第二固定板１４２、第三固定板１４３及び第四固定板１４４によって、長方形の第二収容空間１４０を形成する。第一固定板１４１のマザーボード１２に近い箇所（マザーボード１２と接触する辺の一部）には、第一開口１４１１が設けられ、第二固定板１４２のマザーボード１２に近い箇所（マザーボード１２と接触する辺の一部）には、第二開口１４２１が設けられる。第二開口１４２１は、第一収容空間１２１及び第二収容空間１４０を連通する。第一固定板１４１における第一開口１４１１のマザーボード１２から離れている片側には、ねじ孔１４１２が設けられ、ねじ孔１４１２の中心軸線は、第一固定板１４１に垂直であり、即ち側板１６と平行である。ねじ１４５をねじ孔１４１２に螺合して、レバー１８を固定する。マザーボード１２には、第二固定板１４２の長手方向に平行な方向に沿って、同じ延長線上に位置する２つの位置限定シート１２３が互いに離間して設置される。２つの位置限定シート１２３は、前記第一収容空間１２１に収容され且つ側板１６とともに拡張カードモジュール２０の移動幅を制限する。位置限定シート１２３は、ねじによって第二固定板１４２と側板１６との間の第二固定板１４２に近い箇所に固定することができる。位置限定シート１２３の数は、本実施形態の２つに限定されるものではない。
【００１１】
拡張カードモジュール２０は、パネル２０１と、取付板２０２と、ラッチ部材２０３と、取付板２０２に直交する２つの接続板２０５と、を備える。パネル２０１の片側は、取付板２０２及び接続板２０５に接続され、パネル２０１の他側には、複数のポート２０１１が設置される。ラッチ部材２０３及び接続板２０５は、取付板２０２の両側にそれぞれ接続される。各々の接続板２０５の取付板２０２から離れている辺縁には、オスコネクター２０４がそれぞれに設置される。オスコネクター２０４の数は、本実施形態の２つに限定されるものではなく、メスコネクター１６１の数に対応すればよい。ラッチ部材２０３及び２つのオスコネクター２０４は、拡張カードモジュール２０の両側にそれぞれ位置する。各々のオスコネクター２０４は、対応するメスコネクター１６１の挿入スロットに挿入されて、機能を拡張する。ラッチ部材２０３は、折り曲げられて「コ」字状を呈する定位シート２０３１及び定位シート２０３１に取り付けられた定位軸２０３２を備える。定位シート２０３１は、互いに平行な２つの取付シート２０３３と、２つの取付シート２０３３の間に垂直に接続される接続シート２０３４と、を備える。接続シート２０３４は、ねじによって、取付板２０２の接続板２０５から離れている表面に固定される。定位軸２０３２の両端は２つの取付シート２０３３に固定される。定位軸２０３２及び接続シート２０３４は、互いに離間し、即ち定位軸２０３２と接続シート２０３４との間には活動空間が存在する。
【００１２】
レバー１８は、略「Ｃ」字状を呈し、順次に接続される係合部１８１、接続部１８２、主体部１８３及び固定部１８４を備える。係合部１８１は主体部１８３と平行であり、接続部１８２は主体部１８３に直交し、固定部１８４は主体部１８３に直交する。係合部１８１は、接続部１８２の主体部１８３から離れている一端に接続され、且つ主体部１８３から離れる方向に向かって延在されるので、係合部１８１と主体部１８３との間には高度差を形成し、この高度差は、接続部１８２の幅である。係合部１８１は、略半楕円形を呈し、その片側には開口スロット１８１１が設けられ、この開口スロット１８１１は、定位軸２０３２を収容するために用いられる。開口スロット１８１１の延在方向は、ほぼ側板１６に平行であり、開口スロット１８１１の末端は円弧形であるので、開口スロット１８１１は、略Ｕ字状を呈する。係合部１８１及び接続部１８２は、第一収容空間１２１に収容される。主体部１８３は、Ｌ字状を呈し、且つマザーボード１２に平行である。主体部１８３は、第一開口１４１１及び第二開口１４２１を貫通し、ほぼ第二収容空間１４０に収容される。主体部１８３には、第一貫通孔１８３１が設けられ、ピン１８５が第一貫通孔１８３１を貫通して、レバー１８をマザーボード１２に回動可能に枢着する。固定部１８４は、主体部１８３のマザーボード１２から離れている片側に接続され、且つ第二収容空間１４０の外部に位置し、具体的に第一固定板１４１の外側に位置する。固定部１８４には、第二貫通孔１８４１が設けられる。
【００１３】
拡張カードモジュール２０をサーバー１０に装着する場合、先ず、図５に示すように、拡張カードモジュール２０の２つのオスコネクター２０４が第一接続板１６５の２つのメスコネクター１６１に対向するまで、拡張カードモジュール２０を取付口１２２からサーバー１０の第一収容空間１２１に差し込んで挿入すると、拡張カードモジュール２０のパネル２０１が設置された一端とマザーボード１２の一端とは同じ平面に位置し、拡張カードモジュール２０の他端は、第三固定板１４３に近接し、取付板２０２は、第二固定板１４２に近接し、定位軸２０３２は、開口スロット１８１１の開口に位置するか又は開口スロット１８１１の開口に近い内部に位置する。次に、レバー１８を回動すると、レバー１８の係合部１８１が設置された一端は側板１６に近付き、レバー１８の固定部１８４が設置された一端は側板１６から離れる。このように固定部１８４は、第四固定板１４４及び第一固定板１４１に近付く方向に向かって移動し、定位軸２０３２は、開口スロット１８１１に沿って開口スロット１８１１の内部に入り、すなわち開口スロット１８１１の末端に近づいて開口スロット１８１１に緊密に係合し、即ちラッチ部材２０３は係合部１８１に係合する。レバー１８が拡張カードモジュール２０を連動して移動する過程において、係合部１８１の接続部１８２から離れている一端は、拡張カードモジュール２０を側板１６に近い方向に向かって推進して、２つのオスコネクター２０４を２つのメスコネクター１６１の挿入スロットに差し込んで挿入する。最終的に、図６及び図７に示すように、第二貫通孔１８４１及びねじ孔１４１２が位置合わせされると、ねじ１４５を第二貫通孔１８４１に貫通させてねじ孔１４１２に螺合して、レバー１８を固定する。
【００１４】
サーバー１０から拡張カードモジュール２０を取り外す場合、ねじ１４５を取り外してから、レバー１８を回動して、レバー１８の係合部１８１が設置された一端は側板１６から離れ、レバー１８の固定部１８４が設置された一端は側板１６に近付く。このように固定部１８４は第二固定板１４２に近付く方向に向かって移動し、係合部１８１は、定位軸２０３２を介して拡張カードモジュール２０を連動して側板１６から離れる方向に向かって移動し、即ち第二固定板１４２に近付く方向に向かって移動し、最終的に拡張カードモジュール２０の取付板２０２は２つの位置限定シート１２３に当接する。前記過程において、定位軸２０３２は開口スロット１８１１から退出するか又は開口スロット１８１１の開口に近い位置に位置し、ラッチ部材２０３は係合部１８１に係合しない。２つのオスコネクター２０４も２つのメスコネクター１６１の挿入スロットから抜き出される。このように、サーバー１０は図５に示された状態になり、取付口１２２を通じて拡張カードモジュール２０を第一収容空間１２１から取り出すことができる（図４を参照）。
【００１５】
好ましくは、拡張カードモジュール２０のオスコネクター２０４が設置された片側は外に向かって延在される突起２０７を有し、第二固定部材１６０２のマザーボード１２に近い箇所には、凹部１６２が設けられ、凹部１６２の内部には、マザーボード１２に固定される位置限定柱１２４が設置される。拡張カードモジュール２０をサーバー１０に装着してから、突起２０７は凹部１６２に挿入され且つ位置限定柱１２４に当止されて、拡張カードモジュール２０が取付口１２２から退出することを防止する。
【００１６】
本発明のサーバーにおいて、レバーによって拡張カードモジュール２０を連動して、オスコネクターをメスコネクターに挿入するか又はメスコネクターから抜き出して、拡張カードモジュールを容易に装着するか又は取り外すことができる。
【００１７】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００１８】
１０  サーバー
１２  マザーボード
１４  第二固定モジュール
１６  側板
１８  レバー
２０  拡張カードモジュール
１２１  第一収容空間
１２２  取付口
１２３  位置限定シート
１２４  位置限定柱
１４０  第二収容空間
１４１  第一固定板
１４２  第二固定板
１４３  第三固定板
１４４  第四固定板
１４５  ねじ
１６０  第一固定モジュール
１６１  メスコネクター
１６２  凹部
１６５  第一接続板
１８１  係合部
１８２  接続部
１８３  主体部
１８４  固定部
１８５  ピン
２０１  パネル
２０２  取付板
２０３  ラッチ部材
２０４  オスコネクター
２０５  接続板
２０７  突起
１４１１  第一開口
１４１２  ねじ孔
１４２１  第二開口
１６０１  第一固定部材
１６０２  第二固定部材
１８１１  開口スロット
１８３１  第一貫通孔
１８４１  第二貫通孔
２０１１  ポート
２０３１  定位シート
２０３２  定位軸
２０３３  取付シート
２０３４  接続シート
【図１】
0005531077.tif 000002
【図２】
0005531077.tif 000003
【図３】
0005531077.tif 000004
【図４】
0005531077.tif 000005
【図５】
0005531077.tif 000006
【図６】
0005531077.tif 000007
【図７】
0005531077.tif 000008